(57)【特許請求の範囲】
【請求項１】
軸方向の切欠き溝が形成された左右一対の筒状ガイドと、
該一対の筒状ガイドに案内されて上下動する複数の遮光板と、
前記一対の筒状ガイドの各々の内部にループ状に配された索体と、
該索体の回動手段と、
前記索体に連結されて前記切欠き溝内を昇降することにより、所定の遮光板を上下動させる昇降部材と、
前記一対の筒状ガイドの外周に設けられ、所定の遮光板をそれぞれの設定高さで選択的に係止させる係止機構とを備え、
前記一対の筒状ガイドは、平行して配された２本の筒体からなり、少なくとも一方の筒体は前記切欠き溝を有し、前記索体は該２本の筒体内を挿通し、両端を通じてループ状に配されていることを特徴とする昇降式ルーバー。
【請求項２】
請求項１に記載の昇降式ルーバーにおいて、前記索体はチェーンであり、前記２本の筒体における上下の端部に配したスプロケット間にループ状に張られていることを特徴とする昇降式ルーバー。
【請求項３】
請求項２に記載の昇降式ルーバーにおいて、前記２本の筒体における上の端部に配したスプロケット間をシャフトで連結するとともに、前記シャフトの端部を回動手段に連結したことを特徴とする昇降式ルーバー。
【請求項４】
請求項１〜３のいずれかに記載の昇降式ルーバーにおいて、前記筒体は外周に所定の間隔で軸方向の突条が形成されており、前記係止機構は前記突条間に設けた係止部材と、前記遮光板に設けた被係止部とからなることを特徴とする昇降式ルーバー。
【発明の詳細な説明】
【０００１】
【発明の属する技術分野】
この発明は、遮光のため窓の内外に設置される昇降式ルーバーに関する。
【０００２】
【従来の技術】
ガラス窓の外にガラス壁を配して、視界や眺望を損なわずに遮音性および断熱性を向上させた建築物が使用されている。この建築物では、昼間の日射を遮断するために、遮光板の角度を変更させるかわりに、遮光板を昇降させる昇降式ルーバーが好適に使用されている。
【０００３】
【発明が解決しようとする課題】
従来の昇降式ルーバーは、遮光板を昇降させるチェーン等の索体が露出しており、デザインが重要であるこの種の建築物の外観を損ねる原因となっている。
この発明の目的は、遮光板を昇降させるチェーン等の索体を固定部材である筒状ガイド内に隠すことができ、外観に優れた昇降式ルーバーの提供にある。
【０００４】
【課題を解決するための手段】
この発明の昇降式ルーバーは、軸方向の切欠き溝が形成された左右一対の筒状ガイドと、  該一対の筒状ガイドに案内されて上下動する複数の遮光板と、前記一対の筒状ガイドの各々の内部にループ状に配された索体と、該索体の回動手段と、前記索体に連結されて前記切欠き溝内を昇降することにより、所定の遮光板を上下動させる昇降部材と、前記一対の筒状ガイドの外周に設けられ、所定の遮光板をそれぞれの設定高さで選択的に係止させる係止機構とを備え、前記一対の筒状ガイドは、平行して配された２本の筒体からなり、少なくとも一方の筒体は前記切欠き溝を有し、前記索体は該２本の筒体内を挿通し、両端を通じてループ状に配されていることを特徴とする。
【０００５】
【発明の作用・効果】
この発明では、複数の遮光板を昇降させるための索体が筒状ガイドの中に配索されており、外部から隠れている。このため、駆動部分が外から見えない構造にでき、シンプルで安定性に優れた外観が得られる。
【０００６】
また、請求項１に記載の発明では、筒状ガイドは少なくとも一方が切欠き溝を有する２本の筒体からなり、前記索体は該２本の筒体内を挿通し、両端を通じてループ状に配されている。この構成では、筒状ガイドを細く設定することができて視界の妨げにならないようにするとともに、遮光板を４点で支持することができるため、安定した水平状態を維持できる。
【０００７】
請求項２に記載の発明では、索体はチェーンであり、２本の筒体における上下の端部に配したスプロケット間にループ状に張られていることを特徴とする。
請求項３に記載の発明では、２本の筒体における上の端部に配したスプロケット間をシャフトで連結するとともに、シャフトの端部を回動手段に連結したことを特徴とする。
【０００８】
請求項４に記載の発明では、筒体は、外周に所定の間隔で軸方向の突条が形成されており、係止機構は突条間に設けた係止部材と、遮光板に設けた被係止部とからなる。この構成では、筒体の強度を増大できるとともに、係止部材の形成が容易になる。
【０００９】
【発明の実施の形態】
この発明を図１〜図３に示す実施例とともに説明する。昇降式ルーバー１は、垂直に取り付けられる左右一対の筒状ガイド２、２と、筒状ガイド２、２に左右の両端部が支持されて水平的に平行して配置される遮光板群３とを有する。筒状ガイド２は、前後に平行して垂直的に配された２本の中空柱４、４からなる。２本の中空柱４、４内には、遮光板群３を選択的に昇降させる索体５がループ状に配されている。
【００１０】
この実施例では、遮光板群３は、上から１枚目および２枚目と下から一枚目の４隅が左右の中空柱４、４、４、４に固定された構造部材としての固定遮光板３１〜３３となっている。固定遮光板３２と固定遮光板３３との間に、上下に平行して変位する８枚の可動遮光板（平行ルーバー）３ａ〜３ｈが配されている。
【００１１】
図１は全ての可動遮光板３ａ〜３ｈが下がっている全閉状態を示し、固定遮光板３１〜３３および可動遮光板３ａ〜３ｈは、全てが一定の間隔Ｌで配置されている。図２は、一番下の遮光板３ｈがその上の遮光板３ｇに近接する位置まで持ち上がっている状態を示す。図３は、８枚の可動遮光板３ａ〜３ｈの全てが上から２枚目の固定遮光板３２に近接する位置まで引き上げられている全開状態を示す。なお、間隔Ｌは、それぞれ異なる寸法に設定されてもよい。
【００１２】
図１に示す如く、中空柱４は、押し出し加工によって成形され、対向する位置に軸方向の切欠き溝４１を有し、内周は略８角形断面となっている。各中空柱４の外周には、軸方向の突条４２が等間隔に平行して８列設けられ、隣り合う突条４２、４２の間は、前記切欠き溝４１と、７列の縦溝４３とになっている。
【００１３】
筒状ガイド２を偏平な１本の中空柱４で形成し、内部に索体５を収容することも可能であるが、この実施例の如く、筒状ガイド２を２本の中空柱４、４で形成することで、空間を占める最小限の容積で索体５をカバーできる利点が生じる。なお、切欠き溝４１をいずれか一方の中空柱４のみに設けても良い。
【００１４】
２本の中空柱４、４の上端および下端に位置する固定遮光板３１および３３にはスプロケット５１、５２が設置され、この実施例ではチェーン５３である索体５が、中空柱４、４内を挿通してスプロケット５１、５２間にループ状に張られている。上から１枚目の固定遮光板３１の上面の左右両端部には、ベアリングが内装された軸支持部材５４、５５が締結されている。
【００１５】
軸支持部材５４、５５には、シャフト５６が水平に架設され、左右の上側スプロケット５１、５１はシャフト５６で連結されている。シャフト５６の左端には、索体５の回動手段６が固定遮光板３１の上面に取り付けられている。回動手段６は、マグネットブレーキ付きモーター６１、減速機構６２および開閉スイッチ６３を含む制御装置６４からなる。なお、回動手段６は、手動であってもよい。
【００１６】
可動遮光板３ａ〜３ｈは、図５に示す如く、横長の矩形板３０の４隅に、４本の中空柱４の配置に対応して筒体３４を上下方向に貫通して取り付けた構成を有する。各筒体３４は、図５に示す如く、中空柱４の突条４２の外周に滑動可能に遊嵌する内径を有するとともに、内周に縦溝４３に嵌まり込む寸法の１つの突条３５（被係止部）が設けられている。この実施例では、筒体３４は下端に鍔３６を有し、矩形板３０の４隅に開けた丸穴に下方から差し込んで嵌着されている。
【００１７】
可動遮光板３ａ〜３ｈを所定位置に係止するための係止機構７は、突条３５と、縦溝４３の所定位置に固定された棒状の係止部材７１とからなる。係止部材７１の固定位置は、各縦溝４３ごとにレベルが調整され、この固定位置が各可動遮光板３ａ〜３ｈの停止位置となっている。最下位の可動遮光板３ｈは、チェーン５３に連結され、切欠き溝４１の外に突き出している昇降部材７２の支持部７３に支持されている。
【００１８】
図６は、可動遮光板３ａ〜３ｈの筒体３４の突条３５の位置と係止部材７１との位置を示す。可動遮光板３ａでは、突条３５と係止部材７１とは、中空柱４の外側の縦溝４３に設定されている。可動遮光板３ｂでは、突条３５は４５度だけ図示下方に回転した縦溝４３に噛み合っており、係止部材７１は間隔Ｌだけ下位の同縦溝４３に固定されている。
【００１９】
可動遮光板３ｃでは、突条３５はさらに４５度だけ図示下方に回転して縦溝４３に噛み合っており、係止部材７１はさらに間隔Ｌだけ下位の同縦溝４３に固定されている。可動遮光板３ｄでは、突条３５はさらに４５度だけ内側に回転した縦溝４３に噛み合っており、係止部材７１はさらに間隔Ｌだけ下位の同縦溝４３に固定されている。
【００２０】
昇降式ルーバー１は、図４に示す如く、固定遮光板３１〜３３に取り付けたブラケット１１により窓１２の上下の垂直壁１３に取り付けられて使用される。昼間など遮光の必要なときは、図１に示す如く、各可動遮光板３ａ〜３ｈは、それぞれの係止部材７１で係止された位置まで降下している。
【００２１】
昇降式ルーバー１の開放（可動遮光板３ａ〜３ｈの引き上げ）は、開閉スイッチ６３の開放ボタンを押す操作により、回動手段６を作動させることで行われる。モーター６１の回転によりシャフト５６および上側スプロケット５１、５１が回転し、チェーン５３、５３が回動して昇降部材７２、７２が上昇し、図２に示す如く、最下位の可動遮光板３ｈが上昇する。さらに、可動遮光板３ｈが上昇して、つぎつぎと上位の可動遮光板３ｇ〜３ａを引き上げる。
【００２２】
可動遮光板３ａ〜３ｈが図３に示す位置まで引き上げられるか、または引き上げの途中で開閉スイッチ６３の停止ボタンを押すと、モーター６１は停止する。昇降式ルーバー１の閉鎖（可動遮光板３ａ〜３ｈの引き下げ）は、開閉スイッチ６３の閉鎖ボタンを押す操作により行われる。
【図面の簡単な説明】
【図１】昇降式ルーバーの斜視図である。
【図２】作動中の昇降式ルーバーの斜視図である。
【図３】作動後の昇降式ルーバーの斜視図である。
【図４】昇降式ルーバーの側面図である。
【図５】中空柱と可動遮光板との組み付け図である。
【図６】筒状ガイドの平面断面図である。
【符号の説明】
１      昇降式ルーバー
２      筒状ガイド
３      遮光板群
３１〜３３  固定遮光板
３ａ〜３ｈ  可動遮光板
３４    筒体
３５    突条（被係止部）
４      中空柱
４１    切欠き溝
４２    突条
４３    縦溝
５      索体
５３    チェーン
６      回動手段
６１    マグネット付きモーター（回動手段）
６２ 減速機構（回動手段）
６３ 開閉スイッチ（回動手段）
６４    制御装置（回動手段）
７      係止機構
７１    係止部材
７２ 昇降部材
【図１】
0003895590.tif 000002
【図２】
0003895590.tif 000003
【図３】
0003895590.tif 000004
【図４】
0003895590.tif 000005
【図５】
0003895590.tif 000006
【図６】
0003895590.tif 000007